(57)【特許請求の範囲】
【請求項１】
紙幣搬送装置の終端と連接する遊技島の紙幣収納装置は、
紙幣搬送装置に連結する部位に位置し、紙幣搬送装置から搬送され進入する紙幣の金種識別を行う紙幣金種識別手段を備えた紙幣進入装置と、
紙幣進入装置の下部に位置し、紙幣金種識別手段から金種判別されて送出される紙幣を金種別にそれぞれ積層収納するスタック部と紙幣金種識別手段から金種判別された紙幣を金種別のスタック部に導入させる紙幣分別搬送路とを備えたスタック装置と、
スタック装置のトラブル時に一旦紙幣を収容する補助収納部と、から構成され、
スタック装置のスタック部は金種別に積み重なって設けられ、
積み重なったスタック部の側部の垂直方向に紙幣分別搬送路が設けられ、
紙幣分別搬送路は各スタック部に対応する高さ位置の内部には紙幣分別搬送路からスタック部へ流入案内する仕切り弁と流入した紙幣を計数する検知センサーが備えられた遊技島の紙幣収納装置において、
紙幣分別搬送路は、各スタック部に対応する高さ位置に外部から紙幣を挿入できる紙幣投入口が備えられ、
売上集計を行う際に、補助収納箱に収容された未計数紙幣を取り出し、金種別に紙幣分別搬送路の紙幣投入口から挿入して、検知センサーを通過させて金種別スタッカー部へ収納させ、金種毎の収納と全回収紙幣の計数を行わせることを可能にした遊技島の紙幣収納装置。
【発明の詳細な説明】
【０００１】
【発明の属する技術分野】
本発明は、複数台の遊技機を一群に設置した遊技島において、遊技機に隣接した位置に設けた遊技媒体貸出機に投入された紙幣を紙幣搬送装置にて回収し、整列収納する遊技島の紙幣収納装置に関するものである。
【０００２】
【従来の技術】
通常、遊技店においては、横方向に複数台の遊技機（例えば、パチンコ遊技機等）を直線状に設置して、遊技島を構築している。
このような遊技島は、例えば図７に示すように設備を備えて構築されている。
図７において、遊技島１（紙幣が使用可能な島）は、直線状に横方向に配置された複数台のパチンコ遊技機２、２、・・・と、隣接した間に配置された遊技媒体貸出機３、３、（紙幣が投入可能な遊技媒体貸出機）・・・と、各遊技媒体貸出機３、３、・・・に投入された紙幣を島端まで搬送する紙幣搬送装置４と、島端に設けられた島管理装置５と、から構築されている。
このように構築された遊技島１によれば、各遊技媒体貸出機３、３、・・・に投入された紙幣は、遊技島内部等に設けられた紙幣搬送装置４により島端まで搬送され、島管理装置５内に備えられた紙幣収納装置に整列して収納されるように成っている。
【０００３】
上記した各遊技媒体貸出機３、３、・・・においては、千円紙幣による貸出機が主流であったが、昨今、高額紙幣（例えば、五千円紙幣や一万円紙幣）でも貸出し可能になって来ている。
さらに、高額紙幣に加えて、二千円紙幣も出回って来ており、千円紙幣、二千円紙幣、五千円紙幣及び一万円紙幣の複数（四金種）の金種に対応した、分別して収納する紙幣収納装置が要請されている。
【０００４】
ところで、複数の金種の紙幣に対応して、それぞれの金種の紙幣を個別に収納するために、例えば特開平６−２２７７２７号（以下、先行技術という）に示された所謂、金種別の紙幣収納装置の技術が開示されている。
この先行技術においては、図８に示すように千円紙幣、五千円紙幣及び一万円紙幣の三金種の紙幣を収納するための紙幣収納装置が示されており、この紙幣収納装置は、島管理装置５内にて、紙幣搬送装置４に接続された分別搬送路６と、この分別搬送路６にそれぞれ連接された各金種の紙幣をそれぞれ収納する各収納箱７ａ、７ｂ、７ｃと、上記分別搬送路６の上流側に設けられた金種識別手段８と、分別搬送路６の収納箱７ａ、７ｂへの分岐点に設けられた各フラッパ９ａ、９ｂとを備えている。
該フラッパ９ａ、９ｂは、分別搬送路６の上流から搬送されてくる紙幣に関して、金種識別手段８により識別された金種に対応して、識別された金種毎に、該紙幣をそれぞれ対応する各収納箱７ａ、７ｂ、７ｃに導くように開閉制御されるように成している。
また、図示していないが上記各収納箱７ａ、７ｂ、７ｃの何れかが収納した紙幣で満杯になった時や、金種の識別が出来なかった紙幣や二枚以上重なって搬送されてきた紙幣等を一旦収納しておく補助収納箱が設けられている。
【０００５】
このような構成の紙幣収納装置によれば、遊技媒体貸出機２、２、・・・の遊技島内部等に設けられた紙幣搬送装置４により、各金種の紙幣は、混在した状態（姿勢）搬送され、分別搬送路６に進入する。そして、金種識別手段８により該紙幣の金種が識別されることにより、フラッパ９ａ，９ｂが開閉制御されるので、各金種の紙幣は、それぞれ対応する各収納箱７ａ、７ｂ、７ｃ内に導かれる。
例えば、搬送されてきた紙幣が千円紙幣である場合は、フラッパ９ａのみが開放して、千円紙幣が収納箱７ａ内に導かれ、また紙幣が五千円紙幣である場合には、フラッパ９ｂのみが開放して、五千円紙幣は収納箱７ｂ内に導かれ、さらに紙幣が一万円紙幣である場合には、双方のフラッパ９ａ、９ｂが開放せずに、一万円紙幣は収納箱７ｃ内へと導かれる。このようにして、各金種の紙幣が、それぞれ対応する各収納箱７ａ、７ｂ、７ｃに分別して収納されるように成っている。
【０００６】
【発明が解決しようとする課題】
ところで、前述した遊技島１における各遊技媒体貸出機３、３、・・・は、投入された紙幣が使用可能か否かの真券識別，そして紙幣の金種識別等の識別機能（紙幣識別装置）を備えており、識別した各金種の紙幣を計数して、その各計数値を島管理装置５の制御部、そして遊技店全体の管理を行なう所謂、ホールコンピュータに貨幣投入情報の売上集計として出力するように成っている。
しかしながら、上述した先行技術の紙幣収納装置においては、金種毎の紙幣収納及び収納した紙幣で満杯になった時等は補助収納箱に収納され、また金種の識別が出来なかった紙幣や二枚以上重なって搬送されてきた紙幣等は一旦、補助収納箱に収納するように構成されているが、当該補助収納箱内に収納した紙幣（未計数紙幣）に関しては、ホールコンピュータでの売上集計における各金種の計数値との照合を行なうようには構成されておらず、場合によっては、売上集計と実際に収納した紙幣との間に不一致（回収された枚数と各貸出機に投入された枚数に枚数誤差）が発生することがあった。
また、売上集計の不一致に対応して、各金種の紙幣をそれぞれ追加収納する補充作業（各収納箱への補充対策）はまったく示されていない。
【０００７】
本発明は、以上の点に鑑み、各金種の紙幣を識別し、金種毎に収納すると共に、補助収納箱に収納された紙幣（未計数紙幣）をそれぞれに対応する金種毎の収納部に投入することが出来る金種毎の紙幣投入口を備えて、追加投入して計数することを可能にした、遊技島の紙幣収納装置を提供することを目的としている。
【０００８】
【課題を解決するための手段】
上記、請求項１の目的は、遊技島を構成する各遊技機の間に設けられた遊技媒体貸出機から搬送されてくる紙幣を収納する島管理装置を島端に設け、搬送されてくる紙幣を金種毎に分別して、分別した紙幣をそれぞれ計数して対応する金種毎の紙幣収納部に搬送する、遊技島の紙幣収納装置において、
各紙幣収納部には、それぞれ対応する金種の紙幣を投入するための紙幣投入口を備えている構成によって、達成される。
【０００９】
上記、構成によれば、補助収納箱内に収納された金種を識別出来なかった紙幣等（未計数紙幣）を、金種毎の紙幣収納部にそれぞれ対応する紙幣投入口から投入することにより、搬送された全ての紙幣を金種毎の各紙幣収納部に確実に収納することが出来る。
その結果、各紙幣収納部に収納される紙幣が計数されるので、各紙幣収納部で計数された金種毎の紙幣の計数値が、ホールコンピュータに出力される場合、各遊技媒体貸出機からホールコンピュータに売上出力される金種毎の紙幣の計数値と、紙幣収納装置における金種毎の紙幣の計数値とが、一致する。従って、閉店後に行う遊技店の売上集計が確実に一致することになる。
【００１２】
【発明の実施の形態】
以下、図面に示した実施形態に基づいて、本発明を詳細に説明する。
図１乃至図６は、本発明による遊技島の紙幣収納装置の一実施形態を示している。尚、ここでは四金種の紙幣を各紙幣収納部に収納する説明とするが、金種の数は複数金種であれば良く、金種の数には限定されるものでない。
図１において、紙幣収納装置１０は島端の島管理装置５内に設けられており、各遊技媒体貸出機２、２、・・・から紙幣搬送装置４により搬送されてくる紙幣を受容する受容口１１と、受容口１１から進入する紙幣を金種毎に収納するスタック装置３０へ導く紙幣進入装置２０と、から構成されている。
【００１３】
上記紙幣進入装置２０は、紙幣搬送装置４により搬送され、受容口１１から進入する紙幣を、スタック装置３０の搬送路入口３１に合わせて変更する。
尚、受容口１１の終端付近には搬送されてきた紙幣の金種を識別する紙幣金種識別手段（図示せず）が設けられ、該紙幣金種識別手段によって識別された紙幣は紙幣進入装置２０を通過した後、何れかのスタック装置３０へと搬送されていく。
【００１４】
上記スタック装置３０は、全体を覆う長方形状から成る筐体３２から成り、この筐体３２は、島管理装置５に取り付けられた前後方向に延びる両側上下に設けたガイドレール５ａに沿って前後方向に例えば筐体３２の奥行き程度だけスライド可能で出し入れ自在に支持されている。
尚、スタック装置３０は、前方に引き出された時、図４に示すように、左側のガイドレール５ａに対して、回転軸５ｂにより回動可能に支持されており、右側が手前にさらに引き出され得るように構成されている。
よって、壁島等の遊技島の端部に設置した場合でも、各紙幣投入口への投入作業が容易に行える。
【００１５】
また、上記スタック装置３０は、その前面が、スタック部用カバー３２ａ及び搬送路前面用カバー３２ｂにより覆われていると共に、図１にて右側の側面が、スタック装置側面カバー３２ｃにより覆われている。
【００１６】
上記スタック部用カバー３２ａは施錠操作により、筐体３２に対して開閉可能に構成されており、図において左側の蝶軸を中心に開いた状態で、内部の各スタック部４０乃至７０の収納箱４１乃至７１を挿脱（カートリッジ式）することが出来るように成っている。
また、上記搬送路前面用カバー３２ｂは、図１にて左端が開閉可能に支持されており、開放時に、紙幣分別搬送路３３内における紙幣搬送トラブル（紙幣詰まり等）に対処することが出来るように成っている。
尚、これらのカバー３２ａ、３２ｂは好ましくは、それぞれ図２に示すように、筐体３２内部状況を視認し得るように、複数個の透明窓３２ｄ、３２ｅが設けられている。
【００１７】
さらに、上記スタック装置側面カバー３２ｃは、その突起（図示せず）が、筐体３２の背面に設けられた係合孔３２ｆに係合し得るように構成されており、筐体３２に対して着脱可能になっている（図５参照）。
よって、紙幣分別搬送路３３内の奥内部で紙幣搬送トラブル（紙幣詰まり等）が生じても紙幣を破くことなく取り除くことが出来る。
尚、上記スタック装置側面カバー３２ｃは、筐体３２に対して例えば蝶番等により開閉可能に支持しても良い。
【００１８】
そして、上記スタック装置３０は、図２及び図３に示すように、例えば、筐体３２の内部が縦方向に積み重なった四段から成り、上段から順に一万円紙幣用スタック部４０、五千円紙幣用スタック部５０、二千円紙幣用スタック部６０さらに最も使用頻度の高い千円紙幣用スタック部７０は下段に位置して紙幣の回収作業を容易にする構成と成している。
尚、一万円紙幣用スタック部４０の最上段には後述する補助収納箱３８が備えられている。
【００１９】
さらに、上記スタック装置３０は、これらの四つのスタック部４０乃至７０を垂直方向に貫通するように、紙幣分別搬送路３３を備えており、この紙幣分別搬送路３３は、筐体３２の上部にて、前記搬送路入口３１として開口しており、スタック装置３０の筐体３２が前方に引き出された時、紙幣分別搬送路３３から外れ、搬送路入口３１が外部に露出し後述する紙幣投入口４３を兼ねるように成っている。
【００２０】
上記紙幣分別搬送路３３は、図３に示すように紙幣を下方に搬送すると共に、各スタック部４０乃至７０に導くために、図３にて左側に示された複数個の搬送ベルト３４及び複数個のプーリ３５を含んでおり、これらのプーリ３５は、図６に示す二個の駆動モータを含む駆動装置３６により、それぞれ回転駆動されるように成っている。
さらに、紙幣分別搬送路３３は、図３にて右側にて、前記スタック装置側面カバー３２ｃ内に取り付けられ、上記プーリ３５に対抗する案内プーリ３３ａにより、構成されている。
【００２１】
また、紙幣分別搬送路３３は、図３に示すように一万円紙幣用スタック部４０、五千円紙幣用スタック部５０、二千円紙幣用スタック部６０及び千円紙幣用スタック部７０に対応する高さ位置に、それぞれ仕切り弁３７を備えている。
これらの仕切り弁３７は、退避位置にある時は、紙幣分別搬送路３３を搬送される紙幣をそのまま通過させるが動作位置にある時は、紙幣分別搬走路３３を搬送される紙幣をそれぞれ対応する一万円紙幣用スタック部４０、五千円紙幣用スタック部５０、二千円紙幣用スタック部６０及び千円紙幣用スタック部７０に導くように成っている。
尚、最下段の千円紙幣用スタック部７０に対応する仕切り弁３７は、搬送されてくる頻度（搬送枚数）が多いことから常時動作位置に固定されている。
【００２２】
また、上段の一万円紙幣用スタック部４０に対応する仕切り弁３７の上方には、さらに紙幣進入装置２０にて金種識別出来なかった紙幣や二枚以上重なって搬送されてきた紙幣を分別するための仕切り弁（図示せず）が設けられており、この仕切り弁により分別された紙幣は、スタック装置３０の筐体３２の最上段に載置された補助収納箱３８内に一旦、収納されるように成っている。
尚、この仕切り弁は、スタック装置３０の各スタック部４０乃至７０が収納した紙幣で満杯になった時、紙幣取出しのために、スタック部４０乃至７０の収納箱４１乃至７１が引き出される時、さらには紙幣分別搬送路３３の紙幣搬送トラブル発生時等、紙幣が円滑に収納され得なくなった時等、検出部（図示せず）の検出によって動作位置に切換えられ、紙幣を一旦、補助収納箱３８内に導くように成っている。この補助収納箱３８を設けることによって、営業中に満杯収納部の紙幣回収作業やトラブルが発生しても紙幣搬送装置の駆動（遊技媒体貸出機の中止）を停止させることなく営業することが出来る。
【００２３】
そして、これらの仕切り弁３７は受容口１１の終端付近に設けられた紙幣金種識別手段によって紙幣の金種を識別し、該紙幣金種識別信号に基づいて駆動制御されることにより、対応する紙幣が搬送されてきた時、動作位置に移動され、当該紙幣を対応する何れかのスタック部４０乃至７１内に導くように成っている。
例えば、紙幣金種識別信号にて通過紙幣が一万円紙幣であることが検出した場合、一万円紙幣用スタック部４０に対応する仕切り弁３７が動作位置に移動され、これにより当該紙幣は、紙幣分別搬送路３３から仕切り弁３７により一万円紙幣用スタック部４０内に導かれるように成っている。
【００２４】
上記各スタック部４０乃至７０は、互いに同じ構成である故に、以下一万円紙幣用スタック部４０について説明する。
一万円紙幣用スタック部４０（５０、６０、７０）は、紙幣分別搬送路３３から仕切り弁３７により導かれてきた紙幣を、収納する収納箱４１（５１、６１、７１）を備えていると共に、さらに収納箱４１（５１、６１、７１）への搬送路中に、検知センサ４２（５２、６２、７２）を備えている。
該検知センサ４２（５２、６２、７２）は、一万円紙幣用スタック部４０（５０、６０、７０）に導かれてきた紙幣をその都度計数し、その計数値を島管理装置５の制御部及びホールコンピュータに売上出力するように成っている。
【００２５】
さらに、上記スタック装置側面カバー３２ｃは、図２及び図３に示すように各スタック部５０、６０、７０に対応してその右側面に、細長方形状から成る紙幣投入口５３、６３、７３が設けられている。
尚、スタック部４０に関しては、スタック装置３０がガイドレール５ａに沿って島管理装置５から前方に引き出された時、筐体３２の上部に開口する搬送路入口３１が外部に露出して、同様にスタック部４０のための紙幣投入口４３として利用（兼用）することが出来る。
尚、上記においては搬送路入口３１をスタック部４０のための紙幣投入口４３としたが、上記紙幣投入口４３、５３、６３、７３をそれぞれの紙幣収納部４０、５０、６０、７０に対応して、例えばスタック装置３０の筐体３２の側面に設けるようにしても良い。
【００２６】
本発明の実施形態による遊技島の紙幣収納装置１０は、以上のように構成されており、以下に示すように動作する。ここでの遊技島は、例えば高額紙幣迄、使用可能な遊技島の説明とする。
先ず、遊技島に配設された各遊技媒体貸出機２に投入された紙幣は混在したまま紙幣搬送装置４を介して搬送され、島端に設けられた島管理装置内の紙幣収納装置１０の受容口１１付近の紙幣金種識別手段により金種が識別され、次いで紙幣進入装置２０に導入された後、スタック装置３０内へと引き渡される。
【００２７】
そして、スタック装置３０の搬送路入口３１から紙幣分別搬送路３３内に導かれた紙幣は、搬送ベルト３４及びプーリ３５そして案内プーリ３３ａにより下方に向かって搬送される。その際、紙幣金種識別手段で検出された紙幣識別信号により、紙幣分別搬送路３３内の各仕切り弁３７のうち、識別された金種に対応する仕切り弁３７が動作位置に移動されることにより、当該紙幣は対応する何れかのスタック部４０乃至７０内に導かれる。
【００２８】
ここで、当該紙幣は各スタック部４０乃至７０の検知センサ４２乃至７２により計数され、収納箱４１乃至７１内に積層した状態で整列収納される。ここで、各スタック部４０乃至７０は、検知センサ４２乃至７２による計数値を島管理装置５の制御部、そしてホールコンピュータに売上出力する。
このようにして、各遊技媒体貸出機２に投入され、紙幣搬送装置にて搬送されてくる混在紙幣は、紙幣収納装置１０内の紙幣金種識別手段によって金種が識別され、その金種に対応したスタック部４０乃至７０に、それぞれ分別して収納される。
その際、各スタック部４０乃至７０に導入された紙幣は、それぞれ検知センサ４２乃至７２により計数され、その計数値が島管理装置５の制御部及びホールコンピュータに売上出力されることに成る。
【００２９】
ここで、例えば何れかのスタック部４０乃至７０が収納した紙幣で満杯になった時、島管理装置５はその表示部（図示せず）に、当該スタック部４０乃至７０の満杯である旨の表示を行なう。これにより、店員は当該紙幣収納装置１０のスタック装置３０のスタック部用カバー３２ａを開放して、当該スタック部４０乃至７０の収納箱４１乃至７１を引き出して、収納された満杯の紙幣を取り出した後、再び収納箱４１乃至７１をスタック部４０乃至７０内に戻し、スタック部用カバー３２ａを閉じる。これにより、満杯紙幣の取り出し作業が完了する。
尚、上記においてスタック装置３０のスタック部用カバー３２ａが開放されると検出部の検出時の間に対応する金種の紙幣が搬送されてきた時は、仕切り弁の駆動制御により、当該紙幣は一旦、補助収納箱３８内に導くことにより、円滑に紙幣の収納が行なわれる。
【００３０】
ここで、一日の閉店後（営業終了後）において、売上集計を行なう場合、ホールコンピュータには、各遊技媒体貸出機２から投入された各金種の紙幣の計数値が売上出力されると共に、紙幣収納装置１０の各スタック部４０乃至７０から、島管理装置５の制御部を介してホールコンピュータに計数値が売上金額として出力される。その際、紙幣収納装置１０にて、金種の識別が出来なった紙幣や二枚以上重なって搬送されてきた紙幣等が一旦、補助収納箱３８に収納されているため、ホールコンピュータと紙幣収納装置１０又は島管理装置５の制御部での売上集計に不一致が発生することがある。
【００３１】
このように不一致が生じた場合、確認するために店員は紙幣収納装置１０のスタック部３０をガイドレール５ａに沿って手前に引き出して、筐体３２の右側面を島管理装置５の外に露出させる。そして、筐体３２の最上段に載置された補助収納箱３８に一旦、収納された未計数紙幣を取り出して筐体３２のスタック装置側面カバー３２ｃに設けられたそれぞれに対応する紙幣投入口４３（３１）、５３、６３、７３から投入する。これにより、未計数の各金種の紙幣は、それぞれスタック部４０乃至７０に導かれ、検知センサ４２、５２、６２、７２で計数（既に計数された計数値に追加）された後、各収納箱４１、５１、６１、７１に収納されることになる。
従って、補助収納箱３８に一旦、収納された紙幣は、上述した各スタック部４０乃至７０への追加投入により、正しく計数されることに成り、その計数値が島管理装置５の制御部、そしてホールコンピュータに売上出力されることにより、各遊技島における回収紙幣の計数が正確に行なわれ、売上集計が一致することになる。このように投入される紙幣が高額紙幣である故に、遊技店としては売上金額の集計が一致するように要求されている。
【００３２】
また、紙幣収納装置１０にて紙幣詰まり等の紙幣搬送トラブルが発生した場合、店員は島管理装置５内の紙幣収納装置１０のスタック装置３０のカバー３２ａ及び３２ｂの透明窓３２ｄ、３２ｅから筐体内部を伺う。
これにより、何れの箇所で紙幣詰まり等が直ぐに発生しているかが容易に分かる。そして、店員は紙幣詰まり等が発生している箇所に関して、カバー３２ａ、３２ｂ又は３２ｃを開放し、筐体３２の内部を露出させることにより、紙幣詰まり等の紙幣搬送トラブルに容易に短時間のうちに対処することが出来る。
【００３３】
対処する場合、上記側面カバー３２ｃがスタック装置３０の筐体３２に対して着脱可能に、又は回動可能に構成されているので、筐体３２の側面が開放出来ることとなり、この側面から筐体３２内部の各紙幣収納部及び紙幣搬送路３３の紙幣搬送トラブル等で詰まった紙幣を破くことなく対処することが出来、また、上記筐体３２が島管理装置５から引出し可能に構成されているので、筐体３２を島管理装置５から引き出すことにより、筐体３２の側面カバー３２ｃが島管理装置５の外側に位置することになり側面カバー３２ｃに設けられた各紙幣投入口４３、５３、６３及び７３への紙幣投入が容易に行うことが出来る。
また、上記筐体３２が島管理装置５から引き出された状態にて、さらに紙幣投入口４３、５３、６３及び７３が手前に引き出されるように回動可能に構成されている場合には、島管理装置５から引き出された筐体３２をさらに回動（任意の角度）させることにより、筐体３２の側面カバー３２ｃが島管理装置５の外側に確実に位置することになるので、壁島等であっても、側面カバー３２ｃに設けられた各紙幣投入口４３、５３、６３及び７３への紙幣投入がより一層容易且つ安全に行うことが出来る。
【００３４】
上述した本発明の実施形態においては、遊技島の紙幣収納装置１０は、パチンコ遊技機の間に設けられた遊技媒体貸出装置２から搬送されてくる混在紙幣を収納するための紙幣収納装置として構成されているが、これに限らず、他の種類の遊技機（パチスロ遊技機）から成る遊技島の紙幣収納装置に対しても本発明を適用し得ることは明らかである。
また、ここでは紙幣を収納する紙幣収納装置としたが、使用済みカード等を再利用するため金種毎に収納するカード収納装置に本発明を適用し得ることは明らかである。
【００３５】
【発明の効果】
以上の説明で明らかなように、金種を識別出来なかった紙幣等（未計数紙幣）が収納されている補助収納箱内の紙幣を閉店後において金種毎の紙幣収納部に対応する紙幣投入口から投入することにより、搬送されてくる全ての紙幣を金種毎の紙幣収納部に確実に収納することが出来る。
その結果、補助収納箱に一旦、収納された紙幣は、各スタック部への追加投入により、正しく計数されることに成り、その計数値が島管理装置の制御部、そしてホールコンピュータに売上出力されることにより、各遊技島における回収紙幣の計数が正確に行なわれ、売上集計が一致することになる。このように投入される紙幣が高額紙幣である故に、遊技店としては売上金額の集計にきびしいが、本発明の構成により遊技店側の要求に応じられる効果は多大である。
【図面の簡単な説明】
【図１】本発明による紙幣収納装置の一実施形態を組み込んだ遊技島の島管理装置を示す概略斜視図である。
【図２】図１の紙幣収納装置におけるスタック装置を示す斜視図である。
【図３】図２のスタック装置の縦断面図である。
【図４】図２のスタック装置のスタック部用カバーを外し、搬送路前面用カバーを開いた状態を示す斜視図である。
【図５】図４のスタック装置の搬送路側面用カバーを外した状態を示す斜視図である。
【図６】図４のスタック装置における搬送路駆動部分を示す斜視図である。
【図７】従来の遊技島の一例の構成を示す概略斜視図である。
【図８】図７の遊技島における金種別紙幣収納装置の一例を示す概略図である。
【符号の説明】
５        島管理装置
１０      紙幣収納装置
３０      スタック装置
３１      搬送路入口
３３      紙幣分別搬送路
３７      仕切り弁
３８      補助収納箱
４０      一万円紙幣用スタック部（紙幣収納部）
５０      五千円紙幣用スタック部（紙幣収納部）
６０      二千円紙幣用スタック部（紙幣収納部）
７０      千円紙幣用スタック部（紙幣収納部）
４１、５１、６１、７１      収納箱
４２、５２、６２、７２      検知センサ
４３、５３、６３、７３      紙幣投入口
【図１】
0004833451.tif 000002
【図２】
0004833451.tif 000003
【図３】
0004833451.tif 000004
【図４】
0004833451.tif 000005
【図５】
0004833451.tif 000006
【図６】
0004833451.tif 000007
【図７】
0004833451.tif 000008
【図８】
0004833451.tif 000009